(57)【要約】【課題】見栄えが良好な表示装置を提供する。【解決手段】表示装置１００は、光源光を提供する光源部５０と、透光性の板状に形成され、光源光を光源光導入部４０から板内部に導入し、板内部を導光される光源光を受光することにより、発光表示する発光表示部を有する透光表示板３０と、光源部５０と透光表示板３０の光源光導入部４０との間に配置され、光源部５０からの光源光を中継して、透光表示板３０の光源光導入部４０から板内部へと導光する導光中継部材６０と、を備える。透光表示板３０と導光中継部材６０とが対向して設けられることにより、導光中継部材６０から透光表示板３０へと光源光が受け渡される対向部ＯＳが形成され、対向部ＯＳにおいて、光源光を拡散させる拡散部ＤＳが設けられている。【選択図】図９
2020008789.tif 000002
【特許請求の範囲】
【請求項１】
光源光を提供する光源部（５０）と、
透光性の板状に形成され、前記光源光を光源光導入部（４０）から板内部に導入する板部材であって、前記板内部を導光される前記光源光を受光することにより、発光表示する発光表示部（３３）を有する透光表示板（３０）と、
前記光源部と前記透光表示板の前記光源光導入部との間に配置され、前記光源部からの前記光源光を中継して、前記透光表示板の前記光源光導入部から前記板内部へと導光する導光中継部材（６０）と、を備え、
前記透光表示板と前記導光中継部材とが対向して設けられることにより、前記導光中継部材から前記透光表示板へと前記光源光が受け渡される対向部（ＯＳ）が形成され、前記対向部において、前記光源光を拡散させる拡散部（ＤＳ）が設けられている表示装置。
【請求項２】
前記導光中継部材は、前記対向部において、前記透光表示板と対向し、前記光源光を拡散して前記透光表示板側へ射出する拡散面状に形成されている射出拡散面（６３）を有する請求項１に記載の表示装置。
【請求項３】
前記対向部において、前記透光表示板と前記導光中継部材との間には、エアギャップ（ＡＧ）が形成されている請求項１又は２に記載の表示装置。
【請求項４】
前記透光表示板は、前記対向部において、前記導光中継部材と対向し、前記導光中継部材側からの前記光源光を前記板内部に導入しつつ拡散させる拡散面状に形成されている導入拡散面（４１）を有する請求項１から３のいずれか１項に記載の表示装置。
【請求項５】
前記対向部では、前記透光表示板と前記導光中継部材とが前記透光表示板の沿設方向に対向し、
前記透光表示板は、前記対向部とは板厚方向（ＴＤ）にずれた位置から前記導光中継部材側へ突出し、前記導光中継部材と板厚方向に当接する突出当接部（４２）を有し、
前記突出当接部とは前記導光中継部材を挟んで反対側に配置されて、緩衝性を有する緩衝部材（７０）と、
前記突出当接部、前記導光中継部材、及び前記緩衝部材を、板厚方向に纏めて挟み込んで保持する挟持部（ＳＷ）と、をさらに備える請求項１から４のいずれか１項に記載の表示装置。
【請求項６】
前記発光表示部は、前記透光表示板の板面（３１ｂ）から凹む形状をなし、前記板内部に導入された前記光源光を視認側に反射する反射面が設けられた反射素子（３５）を複数有し、前記反射素子を適宜配置することにより、前記反射素子の集合により形成された図柄（３４）を光輝させて表示する請求項１から５のいずれか１項に記載の表示装置。
【請求項７】
前記発光表示部よりも背面側に配置され、前記発光表示部の表示と重畳される画像を表示する画像表示部（２５）を、さらに備える請求項１から６のいずれか１項に記載の表示装置。
【請求項８】
前記透光表示板と前記画像表示部との間に挟まれて配置され、前記画像表示部の枠を覆い隠す遮光性シート部材（２７）を、さらに備え、
前記遮光性シート部材は、板厚方向に貫通する貫通穴（５１ｂ）を有し、
前記導光中継部材は、前記貫通穴に挿入された状態で配置される挿入突起（６５）を有する請求項７に記載の表示装置。
【発明の詳細な説明】
【技術分野】
【０００１】
この明細書による開示は、表示装置に関する。
【背景技術】
【０００２】
従来、表示装置が知られている。特許文献１に開示の装置は、光源部及び透光表示板を備える。光源部は、光源光を提供する。透光表示板は、光源光を板内部に導入し、当該板内部を導光される光源光を受光することにより、発光表示する発光表示部を有する。光源部が点灯すると、光源部から照射された光源光が透光表示板の端面に入射して板内部を導光されるようになっている。
【先行技術文献】
【特許文献】
【０００３】
【特許文献１】特開２０１６−１２１８９１号公報
【発明の概要】
【発明が解決しようとする課題】
【０００４】
しかしながら、特許文献１の構成では、光源部からの光源光が上述のように端面を介して入射し、そのまま発光表示部に到達するので、光源部の発光形態に起因した強度分布の影響をそのまま、発光表示部へ伝えるため、照明のムラが大きく、その結果、発光表示部内の輝度ムラの発生が懸念されている。
【０００５】
開示されるひとつの目的は、見栄えが良好な表示装置を提供することにある。
【課題を解決するための手段】
【０００６】
ここに開示された態様の表示装置は、光源光を提供する光源部（５０）と、
透光性の板状に形成され、光源光を光源光導入部（４０）から板内部に導入する板部材であって、板内部を導光される光源光を受光することにより、発光表示する発光表示部（３３）を有する透光表示板（３０）と、
光源部と透光表示板の光源光導入部との間に配置され、光源部からの光源光を中継して、透光表示板の光源光導入部から板内部へと導光する導光中継部材（６０）と、を備え、
透光表示板と導光中継部材とが対向して設けられることにより、導光中継部材から透光表示板へと光源光が受け渡される対向部（ＯＳ）が形成され、対向部において、光源光を拡散させる拡散部（ＤＳ）が設けられている。
【０００７】
このような態様によると、導光中継部材から透光表示板へと光源光が受け渡される対向部において、光源光を拡散させる拡散部が設けられている。すなわち、光源部からの光源光を透光表示板の板内部へ中継する導光中継部材が、一旦、光源部からの光源光を導光することにより、当該光源光を効率的に拡散部へ誘導することができる。さらに、対向部にて光源光が拡散部によって拡散されることにより、板内部に導入される光源光では、光源部の発光形態の影響が低減されているので、光源部の発光形態に関わらず、発光表示部へのより均一化された照明を実現できる。故に、発光表示部の表示における輝度ムラも低減され、見栄えが良好な表示装置を提供することができる。
【０００８】
なお、括弧内の符号は、後述する実施形態の部分との対応関係を例示的に示すものであって、技術的範囲を限定することを意図するものではない。
【図面の簡単な説明】
【０００９】
【図１】第１実施形態の車両用表示装置を示す正面図である。
【図２】図１のII−II線断面図である。
【図３】図１のIII−III線断面図である。
【図４】図１のIV−IV線断面図である。
【図５】図１のV−V線断面図である。
【図６】図１の発光表示部の複合反射素子が配列された領域を拡大した平面図である。
【図７】図６のVII−VII線断面図である。
【図８】図７のVIII−VIII線断面図である。
【図９】光源部の一部、導光中継部材及び透光表示板の一部を拡大して示す平面図である。
【図１０】図９のX−X線断面図である。
【図１１】図９のXI−XI線断面図である。
【図１２】図９のXII−XII線断面図である。
【図１３】変形例７における図２に対応する図である。
【発明を実施するための形態】
【００１０】
一実施形態を図面に基づいて説明する。
【００１１】
（第１実施形態）
図１に示すように、本開示の第１実施形態による表示装置１００は、車両に用いられる車両用表示装置であって、当該装置１００を視認する視認者としての乗員が着座する座席とは対向するインストルメントパネルに設置されている。表示装置１００は、乗員が位置することとなる視認側へ向けて車両の情報を表示可能となっている。インストルメントパネルの上面部のうち、表示装置１００に対して上側に位置する部分は、上側に凸となる緩やかな湾曲面状に形成されている。
【００１２】
なお、本実施形態において、上下、前後、左右が示す方向は、水平面上の車両を基準として記載される。
【００１３】
このような表示装置１００は、図２〜５にも示すように、ケース部１０、本体部２０、透光表示板３０、光源部５０、及び導光中継部材６０等により構成されている。
【００１４】
ケース部１０は、背面側ケース１１、視認側ケース１２、見返し部材１３、及びフロント板１４を有している。背面側ケース１１は、例えば合成樹脂により遮光性に形成されており、メイン回路基板２６を視認側とは反対側の背面側から覆っている。
【００１５】
背面側ケース１１よりも視認側に配置された視認側ケース１２は、例えば合成樹脂により遮光性に形成されており、本体部２０を装置１００の外周側から包囲する変形筒状の外枠部１２ａと、ケース内部空間を仕切る仕切り部１２ｂとを、一体的に形成している。なお、ここでいう装置１００の外周側とは、視認側から見た場合の装置中心部から放射状に装置側方部の各位置へ向かう方向及びその逆の方向を、径方向と定義した場合に、径方向外側を示す。また、装置１００の内周側とは径方向内側を示す。
【００１６】
見返し部材１３は、例えば合成樹脂により遮光性に形成されており、視認側ケース１２よりも視認側に配置されている。見返し部材１３は、視認側及び背面側に開口部を有し、装置１００の外周に沿った変形筒状に形成されている。
【００１７】
フロント板１４は、例えば着色されたアクリル樹脂又はポリカーボネイト樹脂等の半透光性樹脂により、見返し部材１３の視認側開口部の全面を塞ぐ曲面板状に形成されている。これにより、本体部２０の光学的な露出部分及び透光表示板３０は、フロント板１４を通して乗員に視認されることとなる。本実施形態のフロント板１４は、スモーク調の着色により、可視光の透過率が３０％程度に設定されているが、３０％以上の任意の値に設定されていてもよい。
【００１８】
本体部２０は、上述のメイン回路基板２６の他、遮光表示板２１、指針部２２、及び画像表示部２５を有している。
【００１９】
遮光表示板２１は、一般的に文字板とも呼ばれており、視認側ケース１２において視認側に開口する開口部を塞ぐように配置されている。図１に示すように、遮光表示板２１は、装置１００の左側の領域及び右側の領域に主要部が配置され、画像表示部２５を左右に挟むような配置で設けられている。特に本実施形態において遮光表示板２１は、左右に分離して配置されているが、発光表示部３３と干渉しない形態で左右が繋がっていてもよい。遮光表示板２１は、例えば透光性を有する合成樹脂からなる基材の表面に、半透光性又は遮光性の印刷が部分的又は全体的に施されて、全体としては暗色（例えば黒色）の平板状に形成されている。なお、印刷に代えて、塗装が施されていてもよい。
【００２０】
指針部２２は、遮光表示板２１が配置された左側の領域及び右側の領域に個別に対応してそれぞれ配置されることで、複数（一対）設けられている。ここで、２つの指針部２２は、互いに同様の構成となっているため、右側の指針部２２について代表して説明する。
【００２１】
指針部２２は、図２に示すように、ステッピングモータ２３及び指針２４を有している。ステッピングモータ２３は、背面側ケース１１と視認側ケース１２との間に挟まれたメイン回路基板２６に保持されている。
【００２２】
指針２４は、連結部２４ａ及び指示部２４ｂを一体的に有している。連結部２４ａは、遮光表示板２１に開けられた貫通穴を通して配置されており、ステッピングモータ２３の回転軸と連結されている。指示部２４ｂは、遮光表示板２１よりも視認側に配置されており、針状を呈している。指針２４は、ステッピングモータ２３の出力に応じて回転軸を回転中心として回動するようになっており、指標２１ａを指示することにより、指示位置に応じた車両の情報を表示する。また、指針２４は、メイン回路基板２６に実装された発光素子２６ａに照明されることで発光する。
【００２３】
指標２１ａは、図１に示すように、遮光表示板２１上での印刷によって、目盛及び当該目盛に対応する文字を部分円環状に配列して形成されている。なお、本実施形態では、左側の指針部２２に対応する指標２１ａは、車両のエンジン回転数を表示するための指標となっている。一方、右側の指針部２２に対する指標２１ａは、車両の速度を表示するための指標となっている。
【００２４】
画像表示部２５は、図１に示すように、２つの指針部２２に挟まれた装置１００の中央の領域に配置されている。図２，３に示すように画像表示部２５は、メイン回路基板２６よりも視認側において、遮光表示板２１の左側の領域及び右側の領域の間に設けられた開口２１ｂに合わせて配置された表示器となっている。特に本実施形態の画像表示部２５は、薄膜トランジスタ（Thin Film Transistor、ＴＦＴ）を用いたいわゆるＴＦＴ方式の液晶表示器が採用されている。画像表示部２５としては、有機ＥＬディスプレイ等の他の方式の表示器を採用することができる。
【００２５】
こうした画像表示部２５は、視認側に画像を表示する輪郭矩形状かつ平面状の表示画面２５ａを有している。表示画面２５ａが画像表示部２５の外縁部に配置された配線等を隠すための枠（ベゼル）２５ｂに全周を囲まれている。表示画面２５ａに表示された画像の光は、透光表示板３０、さらにはフロント板１４を透過する。
【００２６】
透光表示板３０は、例えばアクリル樹脂又はポリカーボネイト樹脂等の透光性を有する合成樹脂により、上下左右に延伸する板面３１ａ，３１ｂを視認側及び背面側に一対有する平板状に形成されている。透光表示板３０は、遮光表示板２１及び画像表示部２５の表示画面２５ａと実質平行に設けられている。透光表示板３０は、図２，３に示すように、開口２１ｂと画像表示部２５との間に配置されている。透光表示板３０において視認側を向くおもて板面３１ａは、開口２１ｂを挟んでフロント板１４と対向するように配置されている。透光表示板３０において背面側を向くうら板面３１ｂは、僅かな隙間を介して画像表示部２５の表示画面２５ａと対向している。
【００２７】
透光表示板３０と画像表示部２５の枠２５ｂとの間に挟まれて、遮光性シート部材２７が配置されている。遮光性シート部材２７は、例えば透光性を有する合成樹脂からなる基材の表面に、遮光性の印刷（黒色等の暗色印刷）が全体的に施されて、シート状に形成されている。遮光性シート部材２７は、画像表示部２５よりも一回り大きく形成された外周部２７ａと、表示画面２５ａよりも一回り小さな矩形状の開口穴２７ｂとを有することにより、画像表示部２５の枠２５ｂを覆い隠す矩形枠状を呈している。
【００２８】
さらに透光表示板３０の左側及び右側の外周部３２には、遮光表示板２１が透光表示板３０側に延長されることにより、遮光表示板２１が当該外周部３２に庇状にオーバーラップした庇部２１ｃが形成されている。庇部２１ｃは、遮光性の印刷が全体的に施されることにより、遮光性を有している。本実施形態では、各庇部２１ｃが外周部３２にオーバーラップするオーバーラップ代（沿面距離）は、遮光性シート部材２７が外周部３２にオーバーラップするオーバーラップ代よりも小さく設定されている。
【００２９】
遮光性シート部材２７は、画像表示部２５の枠２５ｂを覆い隠すことで、画像表示部２５の見栄えを向上させている。他方、庇部２１ｃは、透光表示板３０の板内部に導入される光源光（詳細は後述する）が、当該透光表示板３０の左側及び右側の側面に当たることで生じ得る拡散光を遮光及び吸収することにより、外周部３２から視認側への光源光の漏光を規制して、透光表示板３０の見栄えを向上させている。
【００３０】
また、遮光性シート部材２７は、その上側部位に延出する延出部２７ｄにおいて、板厚方向ＴＤに貫通する貫通穴２７ｃを有している。
【００３１】
光源部５０は、図１，３〜５に示すように、透光表示板３０に対して光源光を提供する。光源部５０は、装置１００において画像表示部２５、透光表示板３０及び導光中継部材６０よりも上側において、見返し部材１３と視認側ケース１２との間に形成されることにより内部から装置外部への漏光が規制された漏光規制空間ＳＰに配置されている。光源部５０は、見返し部材１３に対する背面側に配置されることにより、乗員から視認されないようになっている。具体的に光源部５０は、保持部材５１、一対の光源用基板５２、複数の発光素子５３、一対の光学シート部材５４等により構成され、ケース部１０に対して纏めて着脱可能な光源ユニットを形成している。
【００３２】
保持部材５１は、例えば合成樹脂からなる遮光性の基材により形成され、視認側ケース１２に対して、例えばビス５５による締結によって保持されている。特に本実施形態では、保持部材５１は、透光表示板３０及び導光中継部材６０の形状に合わせるように、下側において互いに鈍角をなして細長く沿設された一対の細長板５１ａを一体的に有している。各細長板５１ａは、当該細長板５１ａを貫通する貫通穴５１ｂを、複数配列している。
【００３３】
一対の光源用基板５２は、一対の細長板５１ａに個別に対応して設けられており、対応する細長板５１ａにおいて、透光表示板３０とは反対側を向く面に保持されている。各光源用基板５２は、貫通穴５１ｂと同数の発光素子５３を実装している。各発光素子５３は、対応する貫通穴５１ｂ内に配置されていることで、互いに配列されている。各発光素子５３には、点光源状の発光ダイオードが採用されており、各発光素子５３は光源用基板５２上の導通パターンを通じて電源と接続されることで発光する。複数の発光素子５３は、同時に点灯又は消灯を切り替え可能に設けられ、互いに同じ色で光源光を発するようになっている。特に本実施形態の各発光素子５３は、白色の光源光を発するようになっている。
【００３４】
一対の光学シート部材５４は、図４，５に示すように、一対の細長板５１ａに個別に対応して設けられており、対応する細長板５１ａにおいて透光表示板３０側の面に保持されている。各光学シート部材５４は、例えばアクリル樹脂又はポリカーボネイト樹脂等の透光性を有する基材の片面全体に、半透光性の印刷が施されることで、薄板状に形成されている。各光学シート部材５４は、半透光性の例えば青色に着色されており、貫通穴５１ｂを塞ぐことで、各発光素子５３が発光した光源光の色調を変換するカラーフィルタとなっている。
【００３５】
各発光素子５３から発せられた光源光は、光学シート部材５４を透過した後、導光中継部材６０を経て、透光表示板３０の光源光導入部４０から透光表示板４０の板内部に導入される。透光表示板３０の板内部に導入された光源光は、上側から下側へ向かう方向を進行方向ＰＤとして、当該板内部を進むようになっている。なお、板内部を進む光源光には、様々な方向に進むものが含まれるが、ここでいう進行方向ＰＤとは、当該様々な方向を、強度を加味しつつ平均化した方向を意味する。
【００３６】
図１に示すように、こうした光源光の板内部への導入に対応して、透光表示板３０は、表示画面２５ａと重畳する部位に、発光表示部３３を有している。発光表示部３３は、光源光を受光することにより、発光表示（点灯表示）するようになっている。
【００３７】
具体的に図６〜８に示すように、発光表示部３３は、うら板面３１ｂからおもて板面３１ａ側に凹む形状をなす素子であって、凹み深さ５〜２０μｍ程度の微細なサイズの反射素子３５を複数有している。図１に示すように、発光表示部３３は、多数の反射素子３５を適宜配置することにより、反射素子３５の集合として、巨視的に乗員から視認可能な図柄３４を光輝させて表示可能となっている。本実施形態では、複数の反射素子３５をうら板面３１ｂに沿って２次元に配列することにより、図柄３４が形成されている。各反射素子３５が板内部に導入された光源光を視認側に反射する反射面を有することにより、図柄３４が面状発光して、表示されるようになっている。
【００３８】
具体的に本実施形態では、図柄３４は、画像表示部２５を加飾する加飾図柄である。本実施形態の発光表示部３３が、画像表示部２５よりも視認側において、表示画面２５ａと少なくとも一部重畳することで、図柄３４として、当該表示画面２５ａの外周部を縁取るように、矩形環状に形成された枠図柄が設けられている。
【００３９】
図６〜８に示すように、複数の反射素子３５には、複合反射素子３６が含まれている。特に本実施形態では、発光表示部３３を構成する全ての反射素子３５が、複合反射素子３６となっている。
【００４０】
各複合反射素子３６は、うら板面３１ｂからおもて板面３１ａ側へ三角錘状に凹んで形成されている。特に図６に示すように、各複合反射素子３６は、うら板面３１ｂに垂直な透光表示板３０の板厚方向ＴＤに沿って見た平面図上では、二等辺三角形状をなしている。各複合反射素子３６は、２つの傾斜面３７ａ，３７ｂで構成された複合反射面３７及び素子裏面３８を有している。
【００４１】
２つの傾斜面３７ａ，３７ｂは、平面図上の二等辺三角形状において等辺に対応する位置にそれぞれ配置されている。２つの傾斜面３７ａ，３７ｂは、三角錘状の複合反射素子３６による各面のうち、光源光が導入される光源光導入部４０側を向く２面として、外輪郭が三角形の平面状にそれぞれ形成されている。
【００４２】
各複合反射素子３６は、平面図上の二等辺三角形状の頂角（又は底辺）を二等分する断面に沿って、２つの傾斜面３７ａ，３７ｂ同士を接続する直線状の接続辺３６ｂを有している。接続辺３６ｂは、うら板面３１ｂ側からおもて板面３１ａ側へ向かう程、光源光導入部４０に対してより離間するように傾斜しており、特に図７に示すように板厚方向ＴＤに対して例えば４５度の傾斜角をなしている。各傾斜面３７ａ，３７ｂも、接続辺３６ｂと同様に、うら板面３１ｂからおもて板面３１ａ側へ向かう程、光源光導入部４０に対してより離間するように傾斜している。各傾斜面３７ａ，３７ｂも、上述の頂角を二等分する断面に平行な断面上では、板厚方向ＴＤに対して例えば４５度の傾斜角をなしている。
【００４３】
さらに、２つの傾斜面３７ａ，３７ｂ同士は、互いに向きが相異なるように設定されている。具体的に、２つの傾斜面３７ａ，３７ｂは、平面図上の二等辺三角形状の等辺の傾斜に沿うかたちで、互いに斜め側方を向いている。左側の傾斜面３７ａは、僅かに左側を向き、右側の傾斜面３７ｂは、僅かに右側を向いている。具体的に本実施形態では、三角錐状の複合反射素子３６において、最も凹み深さが深い位置をなす凹底部３６ａを含み、上述の頂角を二等分する断面に垂直な垂直断面上では、特に図８に示すように、２つの傾斜面３７ａ，３７ｂは、うら板面３１ｂに対して例えば１０度の傾斜角をなして、互いに反対向きに傾いている。
【００４４】
素子裏面３８は、特に図６，８に示すように、平面図上の二等辺三角形状において底辺に対応する位置に配置され、光源光導入部４０とは反対側を向いて形成されている。素子裏面３８は、外輪郭が三角形の平面状に形成されている。素子裏面３８は、うら板面３１ｂ側からおもて板面３１ａ側へ向かう程、光源光が導入される光源光導入部４０に近づくように傾斜しており、板厚方向ＴＤに対して例えば５度の傾斜角をなしている。
【００４５】
図６に示すように本実施形態では、各複合反射素子３６は、うら板面３１ｂにおいて平坦に形成された平坦部３９を介することで、配列方向Ｄ１，Ｄ２にそれぞれ設定された配列ピッチＰＴ１，ＰＴ２だけ互いに離間し、１つずつ孤立して配置されている。なお、配列方向Ｄ１は、光源光の主な進行方向ＰＤである上側から下側の方向に沿っており、配列方向Ｄ２は、配列方向Ｄ１に実質的に垂直な方向となっている。
【００４６】
そして、複数の複合反射素子３６は、その凹底部３６ａの位置を、１列毎に配列ピッチＰＴ１，ＰＴ２の半値分ずらした、いわゆる千鳥状に配列されている。複合反射素子３６の千鳥状配置によれば、図柄３４に穏やかな印象を付与することができる。
【００４７】
そして、発光表示部３３の図柄３４の高輝度化及び輝度均一化を実現するためには、光源部５０から発光表示部３３への導光の効率を高めると共に、発光表示部３３への照明ムラを低減することが効果的である。こうした知見を踏まえて、本実施形態では、光源部５０からの光源光を中継する導光中継部材６０が採用されている。
【００４８】
図９に示す導光中継部材６０は、例えばアクリル樹脂又はポリカーボネイト樹脂等の透光性を有する合成樹脂により形成され、光源部５０と透光表示板３０の光源光導入部４０との間に配置されている。導光中継部材６０は、光源部５０からの光源光を中継して、光源光導入部４０から透光表示板３０の板内部へと導光する。導光中継部材６０は、見返し部材１３に対する背面側に配置されることにより、乗員から視認されないようになっている。導光中継部材６０は、図１０〜１２にも示すように、導入鏡面６１、導光部６２、持ち手部６４、挿入突起６５及び射出拡散面６３を有している。なお、図１０〜１２の破線矢印は、光源光の挙動を模式的に示している。
【００４９】
導入鏡面６１は、光源部５０の光学シート部材５４と１〜２ｍｍ程度の僅かな隙間を介して対向し、鏡面状かつ平面状に形成されている。導入鏡面６１は、発光素子５３の配列方向に合わせて左右方向に延伸している細長い面となっている。特に本実施形態では、一対の光源用基板５２に沿って発光素子５３が配列されていることに対応して、導入鏡面６１は、互いに導光部側に鈍角をなすように、一対設けられている。各導入鏡面６１は、光源部５０からの光源光を、拡散作用を与えずに導光中継部材６０の部材内部に導入可能に形成されている。各導入鏡面６１が鏡面状に形成されていることにより、光源光を略そのまま効率的に部材内部に取り込むことができる。
【００５０】
導光部６２は、導入鏡面６１と射出拡散面６３との間を延伸する板状に形成されている。導光部６２が直線状に光源光を導光可能な光路を形成していることで、光源部５０からの光源光に対して、点光源状の発光素子５３の配列に起因した強度ムラを緩和可能な光路長が与えられると共に、光源光の効率的な射出拡散面６３への導光が実現されている。
【００５１】
持ち手部６４は、特に図１１に示すように、導光部６２の延伸方向に対して略垂直に、視認側へ突出する突起状に形成されている（換言すると、持ち手部６４は、板厚方向ＴＤに沿って突出している）。持ち手部６４は、表示装置１００の製造時、特に導光中継部材６０を組み付ける工程において、当該導光中継部材６０を一時的に保持することに用いられる。
【００５２】
挿入突起６５は、特に図１２に示すように、導光部６２の延伸方向に対して略垂直に、背面側へ突出する突起状に形成されている（換言すると、挿入突起６５は、板厚方向ＴＤに沿って突出している）。挿入突起６５は、遮光性シート部材２７の貫通穴２７ｃに挿入された状態で配置されることにより、遮光性シート部材２７と導光中継部材６０とは互いに位置決めされている。
【００５３】
射出拡散面６３は、透光表示板３０の光源光導入部４０と、透光表示板３０の沿設方向（板厚方向ＴＤと垂直な方向）に対向するように配置されている。射出拡散面６３は、発光素子５３の配列方向に合わせるように、左右方向に延伸している細長い面となっている。射出拡散面６３は、導光部６２を導光された光源光を拡散して、透光表示板３０の光源光導入部４０側へ射出する拡散面状かつ平面状に形成されている。本実施形態では、射出拡散面６３は、シボ加工によって粗面状に形成されているが、鏡面状の面の表面に、光源光を拡散する拡散層（拡散塗料、拡散シート）等を配置して形成されていてもよい。
【００５４】
導光中継部材６０の射出拡散面６３と透光表示板３０の光源光導入部４０との間には、空気層としてのエアギャップＡＧが形成されている。当該エアギャップＡＧは、全域に亘って実質均一のギャップ幅に設定され、例えば１ｍｍのギャップ幅となっている。
【００５５】
エアギャップＡＧを挟んで射出拡散面６３とは反対側に、透光表示板３０の光源光導入部４０として、導入拡散面４１が設けられている。導入拡散面４１は、導光中継部材６０の射出拡散面６３と、透光表示板３０の沿設方向に対向している。導入拡散面４１は、射出拡散面６３に合わせるように、左右方向に延伸している細長い面となっている。導入拡散面４１は、導光中継部材６０側からの光源光を板内部に導入しつつ拡散させる拡散面状に形成されている。本実施形態では、導入拡散面４１は、シボ加工によって粗面状に形成されているが、鏡面状の面の表面に、光源光を拡散する拡散層（拡散塗料、拡散シート）等を配置して形成されていてもよい。
【００５６】
このようにして、透光表示板３０と導光中継部材６０とが対向して設けられることにより、導光中継部材６０から透光表示板３０へと光源光が受け渡される対向部ＯＳが形成されている。そして、その対向部ＯＳにおいて、射出拡散面６３、エアギャップＡＧ及び導入拡散面４１が設けられることによって、光源光を拡散させる拡散部ＤＳが構成されている。本実施形態では、光源部５０から透光表示板３０の板内部に至る略全ての光源光が、拡散部ＤＳを経由するようになっている。拡散部ＤＳを経由した光源光は、射出拡散面６３、エアギャップＡＧ及び導入拡散面４１の拡散作用を受けた結果、照明ムラが極めて少ない状態となる。
【００５７】
また、透光表示板３０は、対向部ＯＳとは板厚方向ＴＤの背面側にずれた位置から導光中継部材６０側（光源部５０側又は上側でもある）に突出する突出当接部４２を有している。突出当接部４２は、導光中継部材６０の導光部６２の側面と板厚方向ＴＤに当接している。
【００５８】
さらに、導光部６２を挟んで突出当接部４２の反対側には、図３に示すように緩衝性（例えば弾性）を有する緩衝部材７０が配置されている。本実施形態の緩衝部材７０は、接着剤によって導光部６２の側面に対して接着されている。緩衝部材７０としては、例えばＰＯＲＯＮ（登録商標）に代表されるようなマイクロセルポリウレタンフォーム等の緩衝特性に優れた部材が採用され得る。
【００５９】
突出当接部４２、導光部６２、及び緩衝部材７０は、挟持部ＳＷによって板厚方向ＴＤに纏めて挟み込まれる。特に本実施形態では、遮光性シート部材２７が突出当接部４２を挟んで導光部６２とは反対側の位置まで延出された延出部２７ｄを形成しており、突出当接部４２から背面側に突出した半球状突起４３（図１１を参照）が当該延出部２７ｄと当接することにより、遮光性シート部材２７も挟持部ＳＷによって纏めて挟み込まれている。
【００６０】
具体的に、挟持部ＳＷは、見返し部材１３の挟込突起１３ａ及び視認側ケース１２の台座１２ｃによって構成されている。挟込突起１３ａは、緩衝部材７０と当接すると共に、緩衝部材７０を軽圧にて圧縮している。台座１２ｃは、延出部２７ｄを挟んで透光表示板３０の半球状突起４３とは反対側に位置し、延出部２７ｄと当接している。こうして透光表示板３０及び導光中継部材６０が挟持部ＳＷによって保持されている。
【００６１】
（作用効果）
以上説明した第１実施形態の作用効果を以下に改めて説明する。
【００６２】
第１実施形態によると、導光中継部材６０から透光表示板３０へと光源光が受け渡される対向部ＯＳにおいて、光源光を拡散させる拡散部ＤＳが設けられている。すなわち、光源部５０からの光源光を透光表示板３０の板内部へ中継する導光中継部材６０が、一旦、光源部５０からの光源光を導光することにより、当該光源光を効率的に拡散部ＤＳへ誘導することができる。さらに、対向部ＯＳにて光源光が拡散部ＤＳによって拡散されることにより、板内部に導入される光源光では、光源部５０の発光形態の影響が低減されているので、光源部５０の発光形態に関わらず、発光表示部３３へのより均一化された照明を実現できる。故に、発光表示部３３の表示における輝度ムラも低減され、見栄えが良好な表示装置１００を提供することができる。
【００６３】
また、第１実施形態によると、導光中継部材６０は、対向部ＯＳにおいて、透光表示板３０と対向し、光源光を拡散して透光表示板３０側へ射出する拡散面状に形成されている射出拡散面６３を有する。拡散面状の射出拡散面６３によって、導光中継部材６０から射出される光源光に拡散効果を付与させることできるので、透光表示板３０の板内部に導入される時点で、光源光を、光源部５０の発光形態の影響が低減された状態とすることができる。
【００６４】
また、第１実施形態によると、対向部ＯＳにおいて、透光表示板３０と導光中継部材６０との間には、エアギャップＡＧが形成されている。エアギャップＡＧと透光表示板３０及び導光中継部材６０の基材との間に屈折率差を発生することができる。この屈折率差によって、対向部ＯＳの透光表示板３０と導光中継部材６０との間を往復する光源光の多重反射が誘発され、こうした多重反射によって光源光の拡散効果を発生させること又は拡散効果を促進することができる。
【００６５】
また、第１実施形態によると、透光表示板３０は、対向部ＯＳにおいて、導光中継部材６０と対向し、導光中継部材６０側からの光源光を板内部に導入しつつ拡散させる導入拡散面４１を有する。拡散面状の導入拡散面４１によって、透光表示板３０に導入される光源光に拡散効果を付与させることできるので、透光表示板３０の板内部に導光する光源光は、光源部５０の発光形態の影響が低減されたものとなる。
【００６６】
また、第１実施形態によると、挟持部ＳＷは、突出当接部４２、導光中継部材６０、及び緩衝部材７０を、板厚方向ＴＤに纏めて挟み込んで保持している。このような保持形態によると、緩衝部材７０を挟むことによって、表示装置１００に加わり得る振動の影響を抑制しつつも、突出当接部４２と導光中継部材６０とが直接的に当接することにより、透光表示板３０と導光中継部材６０との相対位置が維持される。こうした相対位置の維持によって、対向部ＯＳにおいて拡散部ＤＳがなす拡散性能を、安定的に発揮することができるため、見栄えを良好に保つことができる。また、透光表示板３０側に突出当接部４２を設けたことにより、導光中継部材６０の対向部ＯＳ近傍に、保持のための部位を設ける必要性が低下したため、導光中継部材６０を導光される光源光がこのような部位に迷い込むことを抑制でき、当該光源光が効率的に導光される。この結果、効率的に光源光を発光表示部３３まで到達させることができ、発光表示部３３の輝度を向上させることができる。
【００６７】
また、第１実施形態によると、発光表示部３３は、透光表示板３０の板面３１ｂから凹む形状をなし、板内部に導入された光源光を視認側に反射する反射面が設けられた反射素子３５を複数有し、反射素子３５を適宜配置することにより、反射素子３５の集合により形成された図柄３４を光輝させて表示する。このような図柄３４の光輝により、表示装置１００の見栄えをより良好なものとすることができる。
【００６８】
また、第１実施形態によると、発光表示部３３よりも背面側に配置され、発光表示部３３の表示と重畳される画像を表示する画像表示部２５を、さらに備える。発光表示部３３の表示内容と画像が重畳することによって、表示の立体感が高まり、見栄えをより良好なものとすることができる。
【００６９】
また、第１実施形態によると、遮光性シート部材２７が画像表示部２５の枠２５ｂを覆い隠していることにより、画像表示部２５の見栄えが向上する。また、透光表示板３０と画像表示部２５との間に挟まれて配置された遮光性シート部材２７に設けられた貫通穴２７ｃに、導光中継部材６０の挿入突起６５が挿入されているので、透光表示板３０と導光中継部材６０との相対位置が遮光性シート部材２７によって位置決めされ得る。こうした相対位置の維持によって、対向部ＯＳがなす拡散性能を、安定的に発揮することができるため、見栄えを良好に保つことができる。
【００７０】
（他の実施形態）
以上、一実施形態について説明したが、本開示は、当該実施形態に限定して解釈されるものではなく、本開示の要旨を逸脱しない範囲内において種々の実施形態に適用することができる。
【００７１】
具体的に変形例１としては、導入拡散面４１の代わりに鏡面状の導入面が形成されることによって、対向部ＯＳに設けられた拡散部ＤＳは、射出拡散面６３及びエアギャップＡＧを主体として構成されていてもよい。
【００７２】
変形例２としては、射出拡散面６３の代わりに鏡面状の射出面が形成されることにより、対向部ＯＳに設けられた拡散部ＤＳは、エアギャップＡＧ及び射出拡散面６３を主体として構成されていてもよい。
【００７３】
変形例３としては、エアギャップＡＧが設けられず、対向部ＯＳにおいて導光中継部材６０と透光表示板３０とが当接していてもよい。
【００７４】
変形例４としては、導光中継部材６０に、挿入突起６５が設けられていなくてもよい。
【００７５】
変形例５としては、透光表示板３０に、突出当接部４２が設けられていなくてもよい。
【００７６】
変形例６としては、導光中継部材６０及び透光表示板３０の保持形態は、挟持部ＳＷを用いたものに限られず、係合、螺合等の種々の保持形態が採用され得る。
【００７７】
変形例７としては、図１３に示すように、透光表示板３０は、遮光表示板２１よりも視認側に配置されていてもよい。
【００７８】
変形例８としては、図柄３４は、画像表示部２５と重畳していなくてもよい。例えば、透光表示板３０の位置を変更して、図柄３４が指針２４と重畳するようにしてもよく、他の表示と重畳しないものとしてもよい。また、図柄３４として、枠図柄以外の任意の図柄を採用することができ、図柄３４が情報を表示するように構成されていてもよい。
【００７９】
変形例９としては、発光表示部３３は、微細な反射素子３５の集合によって図柄３４を面状発光するものに限られない。例えば、うら板面３１ｂからおもて板面３１ａ側へ凹み、乗員から巨視的に視認可能な凹状穴であって、その輪郭が情報を表示するように、例えば文字又は目盛の形状に形成された凹状穴が設けられていてもよい。そして、その凹状穴の側壁面が光源光を受光して光輝したり、凹状穴の粗面状の底面が光源光を受光して光輝するようにして、発光表示部３３として機能させることができる。
【００８０】
変形例１０としては、光源部５０は、発光ダイオードを用いたものに限られない。例えば、光源部５０は、例えば蛍光管、有機ＥＬ、又はレーザ光源を用いて構成されていてもよい。
【００８１】
変形例１１としては、表示装置１００は、車両に用いられるものに限られず、例えば航空機、船舶等の移動体に用いられる表示装置、冷蔵庫等の家電製品、スマートフォン等の情報通信機器、ゲーム、パチンコ等の遊技機、街頭広告に用いられる表示装置であってもよい。
【符号の説明】
【００８２】
１００  表示装置、３０  透光表示板、３３  発光表示部、４０  光源光導入部、５０  光源部、６０  導光中継部材、ＤＳ  拡散部、ＯＳ  対向部
【図１】
2020008789.tif 000003
【図２】
2020008789.tif 000004
【図３】
2020008789.tif 000005
【図４】
2020008789.tif 000006
【図５】
2020008789.tif 000007
【図６】
2020008789.tif 000008
【図７】
2020008789.tif 000009
【図８】
2020008789.tif 000010
【図９】
2020008789.tif 000011
【図１０】
2020008789.tif 000012
【図１１】
2020008789.tif 000013
【図１２】
2020008789.tif 000014
【図１３】
2020008789.tif 000015